【手続補正書】
【提出日】平成15年7月15日(2003.7.15)
【手続補正１】
【補正対象書類名】明細書
【補正対象項目名】特許請求の範囲
【補正方法】変更
【補正の内容】
【特許請求の範囲】
【請求項１】
清掃具により集められた塵埃を吸引するための室内に開口する塵埃取入口を有する吸込み口と、塵埃を捕集するフィルター体を着脱可能に収納した集塵室と、電動送風機を収納する電動機収納室と、該電動機収納室からの排気を排出する排気出口とによって構成された吸塵装置を家具の下部に備え、
前記塵埃取入口の外壁面に前記電動送風機への通電を制御する制御機構を設けたことを特徴とする吸塵装置つき家具。
【請求項２】
清掃具により集められた塵埃を吸引するための室内に開口する塵埃取入口を有する吸込み口と、塵埃を捕集するフィルター体を着脱自在に収納した集塵室と、電動送風機を収納する電動機収納室と、該電動機収納室からの排気を排出する排気出口とによって構成された集塵装置を家具の下部に備え、
前記塵埃取入口の外壁面に前記電動送風機への通電を所定時間行う塵埃乾燥スイッチを設けたことを特徴とする吸塵装置つき家具。
【請求項３】
前記電動送風機からの排気を吸込み口に導く排気風路を設けたことを特徴とする請求項１又は２記載の吸塵装置つき家具。
【請求項４】
前記清掃具が塵埃取入口の外壁面に当接すると制御機構が作動して電動送風機が運転され、非当接になると運転が停止することを特徴とする請求項１〜３のいずれかに記載の吸塵装置つき家具。
【請求項５】
前記制御機構を、清掃具が塵埃取入口より非当接後も所定時間電動送風機を運転させるように構成したことを特徴とする請求項１〜４のいずれかに記載の吸塵装置つき家具。
【請求項６】
前記制御機構を塵埃取入口の両側にそれぞれ設け、かつ電気的に直列に接続したことを特徴とする請求項１〜５のいずれかに記載の集塵装置つき家具。
【請求項７】
少なくとも前記吸込み口と集塵室を、家具から引出し自在に構成したことを特徴とする請求項１〜６のいずれかに記載の吸塵装置つき家具。
【請求項８】
前記塵埃取入口を全域にわたって閉口する清掃具を設け、該清掃具の外面で制御機構を操作させることを特徴とする請求項１〜７のいずれかに記載の吸塵装置つき家具。
【請求項９】
前記清掃具の底面に、床面上の外気と吸込み口とを連通するバイパス風路を設けたことを特徴とする請求項８記載の吸塵装置つき家具。
【手続補正２】
【補正対象書類名】明細書
【補正対象項目名】０００５
【補正方法】変更
【補正の内容】
【０００５】
【課題を解決するための手段】
本発明に係る吸塵装置つき家具は、清掃具により集められた塵埃を吸引するための室内に開口する塵埃取入口を有する吸込み口と、塵埃を捕集するフィルター体を着脱可能に収納した集塵室と、電動送風機を収納する電動機収納室と、該電動機収納室からの排気を排出する排気出口とによって構成された吸塵装置を家具の下部に備え、前記塵埃取入口の外壁面に前記電動送風機への通電を制御する制御機構を設けたものである。


【手続補正３】
【補正対象書類名】明細書
【補正対象項目名】０００６
【補正方法】変更
【補正の内容】
【０００６】
また、本発明に係る吸塵装置つき家具は、清掃具により集められた塵埃を吸引するための室内に開口する塵埃取入口を有する吸込み口と、塵埃を捕集するフィルター体を着脱自在に収納した集塵室と、電動送風機を収納する電動機収納室と、該電動機収納室からの排気を排出する排気出口とによって構成された集塵装置を家具の下部に備え、前記塵埃取入口の外壁面に前記電動送風機への通電を所定時間行う塵埃乾燥スイッチを設けたものである。


【手続補正４】
【補正対象書類名】明細書
【補正対象項目名】０００７
【補正方法】変更
【補正の内容】
【０００７】
上記の記電動送風機からの排気を吸込み口に導く排気風路を設けた。
上記の清掃具が塵埃取入口の外壁面に当接すると制御機構が作動して電動送風機が運転され、非当接になると運転が停止するようにした。
上記の制御機構を、清掃具が塵埃取入口より非当接後も所定時間電動送風機を運転させるように構成した。
【手続補正５】
【補正対象書類名】明細書
【補正対象項目名】０００８
【補正方法】変更
【補正の内容】
【０００８】
上記の制御機構を塵埃取入口の両側にそれぞれ設け、かつ電気的に直列に接続した。
少なくとも上記の吸込み口と集塵室を、家具から引出し自在に構成した。
上記の塵埃取入口を全域にわたって閉口する清掃具を設け、該清掃具の外面で制御機構を操作させるようにした。
上記の清掃具の底面に、床面上の外気と吸込み口とを連通するバイパス風路を設けた。


【手続補正６】
【補正対象書類名】明細書
【補正対象項目名】００３８
【補正方法】変更
【補正の内容】
【００３８】
【発明の効果】
本発明に係る集塵装置つき家具は、家具の下部に、清掃具により集められた塵埃を吸収するための室内に開口する塵埃取入口を有する吸込み口と、塵埃を捕集するフィルター体を着脱可能に収納した集塵室と、電動送風機を収納する電動機収納室と、この電動機収納室からの排気を排出する排気出口とによって構成された吸塵装置を備え、塵埃取入口の外壁面に電動送風機への通電を制御する制御機構を設けたので、電動送風機の通電と解除が清掃具で行えるため、余分な電力消費がなく節電効果が得られると共に、使用者が直接電源スイッチを操作することがないので手間が省け、使い勝手が向上する。


【手続補正７】
【補正対象書類名】明細書
【補正対象項目名】００３９
【補正方法】変更
【補正の内容】
【００３９】
また、本発明は、塵埃取入口の外壁面に電動送風機への通電を所定時間行う塵埃乾燥スイッチを設け、随時この塵埃乾燥スイッチをＯＮしてその排気を集塵室に循環させて捕集された塵埃を乾燥するようにしたので、集塵室内におけるカビや雑菌の発生、さらには食物の腐敗による悪臭の発明を防止することができる。  上記の電動送風機からの排気を吸込み口に導く排気風路を設け、吸込み口に排気を吐出させるようにしたので、その排気力により塵埃をより確実に集塵室へ移動させることができ、また、排気が室内に排出されないため、床面のほこりや塵埃が舞い上って不衛生になったり、人に不快感を与えることがない。
【手続補正８】
【補正対象書類名】明細書
【補正対象項目名】００４０
【補正方法】変更
【補正の内容】
【００４０】
上記の塵埃装置つき家具において、清掃具が塵埃取付口の外壁面に当接すると制御機構が作動して電動送風機が運転され、非当接になると運転が停止するようにしたので、余分な電力消費がなく節電効果が得られる。また、電動送風機の通電と解除が清掃具で行えるため、使用者が直接電源スイッチを操作することがないので手間が省け、使い勝手が向上する。
上記の制御機構を、清掃具が塵埃取入口より非当接後も所定時間電動送風機を運転させるように構成したので、湿気を帯びた台所等の塵埃が集塵室内に溜っても、これらの塵埃を短時間で乾燥することができるため、カビや雑菌の発生、さらには食物の腐敗による悪臭の発生を防止できる。
【手続補正９】
【補正対象書類名】明細書
【補正対象項目名】００４１
【補正方法】変更
【補正の内容】
【００４１】
上記の制御機構を塵埃取入口の両側にそれぞれ設け、電気的に直列に接続したので、清掃具を塵埃取入口の両側に確実に当接しないと、すなわち、塵埃取入口が清掃具によって塞がれたときのみ電動送風機が駆動されるため、塵埃取入口から外気が侵入して塵埃吸塵性能の低下を招くことを防止できる。


【手続補正１０】
【補正対象書類名】明細書
【補正対象項目名】００４２
【補正方法】変更
【補正の内容】
【００４２】
上記の吸塵装置の少なくとも吸込み口と集塵室を、家具から引出し自在に構成したので、集塵室内の塵埃の処理が簡単であるばかりでなく、吸塵装置の保守、点検や修理作業を容易に行うことができる。


【手続補正１１】
【補正対象書類名】明細書
【補正対象項目名】００４３
【補正方法】変更
【補正の内容】
【００４３】
上記の塵埃取入口を全域にわたって閉口する清掃具を設け、この清掃具により制御機構を操作するようにしたので、塵埃取入口を清掃具により自在に開閉することができて便利であり、かつ、その操作により塵埃取入口を完全に閉塞できるため、外気が塵埃取入口から吸込み口に侵入せず、塵埃の吸引性能が向上すると共に、電動送風機の駆動も容易である。


【手続補正１２】
【補正対象書類名】明細書
【補正対象項目名】００４４
【補正方法】変更
【補正の内容】
【００４４】
上記の清掃具の底面にバイパス風路を設けたので、制御機構への当接時において、バイパス風路から外気を吸込み口に侵入させることにより、清掃具の下面に存在する塵埃を外気流に乗せて確実に集塵室に移動させることができる。